(57)【特許請求の範囲】
【請求項１】
トラクタ（Ｔ）の後部にロータリ耕耘装置（Ｒ）を昇降自在に装着し、該ロータリ耕耘装置（Ｒ）の後部に施肥・播種装置を装着した乾田直播装置において、該ロータリ耕耘装置（Ｒ）は、爪軸（１）に、なた爪（３）と直刀（２）と溝掘爪（４）を装着し、該なた爪（３）により、乾田土壌面を１〜３ｃｍの深さで全面を耕耘して耕耘砕土層（Ｂ）を掘削し、該直刀（２）により、深さが土壌表面から５〜７ｃｍで幅が１〜２ｃｍの播種溝（Ａ）を、播種する条の位置に掘削し、該溝掘爪（４）により、深さ１２〜１５ｃｍで幅５〜７ｃｍ程度の排水溝（Ｃ）を、播種溝（Ａ）の５〜６条毎に掘削すべく構成し、前記施肥・播種装置は、種子ホッパー（１６）と肥料ホッパー（９）を配置し、該種子ホッパー（１６）と肥料ホッパー（９）の下部に、播種施肥繰出機構（１５）を配置し、前記施肥・播種装置の先端で、ロータリ耕耘装置（Ｒ）の直後の位置には播種溝掘削ディスク（５）を配置し、該播種溝掘削ディスク（５）の進行と共に溝を、直刀（２）により掘削した播種溝（Ａ）の上に、更に掘削すべく構成し、該播種溝掘削ディスク（５）の２枚のディスクの間に、播種施肥繰出機構（１５）から連通した播種パイプ（１２）が連通して、種子（Ｓ）を播種溝（Ａ）の中に落下させ、該播種溝（Ａ）の中の土壌表面から３〜５ｃｍの深さに播種すべく構成し、
前記播種溝掘削ディスク（５）と播種パイプ（１２）の後部で、横に偏心した位置に、施肥ディスク（６）を配置し、該施肥ディスク（６）の後部に施肥パイプ（１１）を連通し、肥料ホッパー（９）から繰り出された肥料粒を落下し、該播種溝掘削ディスク（５）と播種パイプ（１２）と、施肥ディスク（６）と施肥パイプ（１１）の後部に、覆土ディスク（７）を配置し、該覆土ディスク（７）の後部に、鎮圧ローラー（８）を配置したことを特徴とする乾田直播装置。
【発明の詳細な説明】
【０００１】
【発明の属する技術分野】
本発明は、苗箱に苗を作り、田植機で田植えをする、従来の水稲育成システムとは根本的に異なり、刈取を行なった後の水田に乾田のままで水稲の種子を直接に播種する乾田直播の新たな方法と装置を提供するものである。
【０００２】
【従来の技術】
従来から乾田直播方法と装置は存在した。従来の方法は、図５に示す如く、乾田の土壌面に播種溝Ｄを掘削し、該播種溝Ｄの上に種子Ｓを播種し、その上に、播種溝Ｄを掘削した際に出た土壌を覆土Ｅとしていたのである。
【０００３】
【発明が解決しようとする課題】
しかし、該従来の乾田直播方法と装置の場合には、雨が強く降った場合には乾田の表面に水溜まりができて、この水溜まりに種子Ｓが浸漬した状態となり、空気不足の状態となり、発芽する前に腐ってしまうという不具合があったのである。
また、種子Ｓの上に掘削土壌を被覆するのであるが、該被覆土壌が完全に行なわれない場合や、被覆土壌に大きな土塊が多い場合や、稲の刈り株の直ぐ横に播種した場合には、雑草の種子の発芽を被覆した土壌で抑えるということができず、水稲の種子Ｓの直ぐに近傍の位置から、雑草種子が発芽し、雑草の多い水田となってしまうのである。
本発明は、このような従来技術の不具合を解消するものである。
【０００４】
【課題を解決するための手段】
本発明が解決しようとする課題は以上の如くであり、次に該課題を解決するための手段を説明する。
【０００５】
トラクタ（Ｔ）の後部にロータリ耕耘装置（Ｒ）を昇降自在に装着し、該ロータリ耕耘装置（Ｒ）の後部に施肥・播種装置を装着した乾田直播装置において、該ロータリ耕耘装置（Ｒ）は、爪軸（１）に、なた爪（３）と直刀（２）と溝掘爪（４）を装着し、該なた爪（３）により、乾田土壌面を１〜３ｃｍの深さで全面を耕耘して耕耘砕土層（Ｂ）を掘削し、該直刀（２）により、深さが土壌表面から５〜７ｃｍで幅が１〜２ｃｍの播種溝（Ａ）を、播種する条の位置に掘削し、該溝掘爪（４）により、深さ１２〜１５ｃｍで幅５〜７ｃｍ程度の排水溝（Ｃ）を、播種溝（Ａ）の５〜６条毎に掘削すべく構成し、前記施肥・播種装置は、種子ホッパー（１６）と肥料ホッパー（９）を配置し、該種子ホッパー（１６）と肥料ホッパー（９）の下部に、播種施肥繰出機構（１５）を配置し、前記施肥・播種装置の先端で、ロータリ耕耘装置（Ｒ）の直後の位置には播種溝掘削ディスク（５）を配置し、該播種溝掘削ディスク（５）の進行と共に溝を、直刀（２）により掘削した播種溝（Ａ）の上に、更に掘削すべく構成し、該播種溝掘削ディスク（５）の２枚のディスクの間に、播種施肥繰出機構（１５）から連通した播種パイプ（１２）が連通して、種子（Ｓ）を播種溝（Ａ）の中に落下させ、該播種溝（Ａ）の中の土壌表面から３〜５ｃｍの深さに播種すべく構成し、前記播種溝掘削ディスク（５）と播種パイプ（１２）の後部で、横に偏心した位置に、施肥ディスク（６）を配置し、該施肥ディスク（６）の後部に施肥パイプ（１１）を連通し、肥料ホッパー（９）から繰り出された肥料粒を落下し、該播種溝掘削ディスク（５）と播種パイプ（１２）と、施肥ディスク（６）と施肥パイプ（１１）の後部に、覆土ディスク（７）を配置し、該覆土ディスク（７）の後部に、鎮圧ローラー（８）を配置したものである。
【０００６】
【発明の実施の形態】
次に本発明の実施の形態を説明する。
図１は本発明の乾田直播装置をトラクタＴの後部に装着した状態の前方斜視図、図２は同じく乾田直播装置をトラクタＴに装着した状態の後方斜視図、図３はロータリ耕耘装置Ｒの爪軸１に直刀２となた爪３と溝掘爪４を装着した状態の後面図、図４は本発明の乾田直播方法と装置による播種後の状態を示す断面図、図５は従来の乾田直播方法と装置による播種後の状態を示す断面図である。
【０００７】
図１と図２において、トラクタＴの後部に本発明の乾田直播装置を装着した状態について説明する。
トラクタＴの後部に設けた作業機装着装置に、ロータリ耕耘装置Ｒを昇降自在に装着する。該ロータリ耕耘装置Ｒの後部に乾田直播装置を装着するのである。  該乾田直播装置はロータリ耕耘装置Ｒと共に、トラクタＴの油圧装置により昇降自在とされている。
【０００８】
ロータリ耕耘装置Ｒは、図３に示す如く、爪軸１に、直刀２となた爪３と溝掘爪４の３種類の爪が装着されており、なた爪３により耕耘砕土層Ｂを掘削し、直刀２により播種溝Ａを掘削し、溝掘爪４により排水溝Ｃを掘削すべく構成している。
【０００９】
該耕耘砕土層Ｂと播種溝Ａと排水溝Ｃの構成は、図４に示す如く、乾田土壌面を１〜３ｃｍの厚さｍで全面を耕耘して耕耘砕土層Ｂとしている。また、播種する条の位置には、土壌表面から５〜７ｃｍの深さａで、幅が１〜２ｃｍの播種溝Ａを構成している。
また、播種された種子Ｓは、前記播種溝Ａの中の土壌表面から３〜５ｃｍの深さに播種されている。また、播種溝Ａの５〜６条毎に、深さｂが１２〜１５ｃｍで幅５〜７ｃｍ程度の排水溝Ｃを穿設しているのである。
【００１０】
次に、乾田直播装置の施肥・播種装置について説明する。
上部に、種子ホッパー１６と肥料ホッパー９を一体的にして配置している。該種子ホッパー１６と肥料ホッパー９の株に、種子繰出装置と施肥繰出装置の２つの繰出装置を一体的とした播種施肥繰出機構１５が配置されている。該播種施肥繰出機構１５は駆動モーター１０により電気的に駆動されている。
【００１１】
施肥・播種装置の先端で、ロータリ耕耘装置Ｒの直後の位置には、播種溝掘削ディスク５が配置されている。該播種溝掘削ディスク５は２枚のディスクを楔状に配置して、先端を閉じた側として、進行と共に溝を、直刀２により掘削した播種溝Ａの上に掘削すべく構成している。直刀２により一旦播種溝Ａを構成しているが、該播種溝Ａはなた爪３や溝掘爪４と共に掘削するので、播種溝Ａは一旦埋まってしまうのである。故に播種溝掘削ディスク５により再度播種溝Ａを作り直す必要があるのである。該播種溝掘削ディスク５の２枚のディスクの間に、播種施肥繰出機構１５から連通した播種パイプ１２が連通して、種子Ｓを播種溝掘削ディスク５により構成した播種溝Ａの中に落下させている。
【００１２】
また播種溝掘削ディスク５と播種パイプ１２の後部で、僅かに横に偏心した位置に、施肥ディスク６が配置されており、該施肥ディスク６の後部に施肥パイプ１１が連通されている。該施肥パイプ１１からは、播種施肥繰出機構１５の部分で肥料ホッパー９から繰り出された一定量の肥料粒が落下させられる。
【００１３】
該播種溝掘削ディスク５と播種パイプ１２と、施肥ディスク６と施肥パイプ１１の後部に、覆土ディスク７が配置されている。そして、覆土ディスク７の後部には、１０条分がすべて連通された鎮圧ローラー８が配置されている。播種溝掘削ディスク５と施肥ディスク６と覆土ディスク７と播種施肥繰出機構１５とホッパー１６・９等は、１条ずつが単位として構成されており、それぞれを取外し可能としているが、ロータリ耕耘装置Ｒと鎮圧ローラー８は、全ての条（１０条）に渡り、１台ずつが設けられている。
【００１４】
次に、図３において、ロータリ耕耘装置Ｒの構成を説明する。
該図３に示した実施例のロータリ耕耘装置Ｒにおいては、１０条分の播種と施肥を一度に行なうことができるように耕耘・掘削可能な構成としている。そして左端部と中央部に、排水溝Ｃを構成する為の溝掘爪４・４が植設されている。左右の溝掘爪４・４の間には、５本ずつの爪軸１が配置されており、それぞれが５条ずつ、合計１０条の播種溝Ａを掘削する。そして、該播種溝Ａの内部に、播種を行ない、近傍に施肥を行なうのである
【００１５】
そして、それぞれの直刀２・２の間には、なた爪３が配置されており、この間の部分は、耕耘砕土層Ｂを掘削すべく構成している。該耕耘砕土層Ｂの１〜３ｃｍの厚さｍは、雑草の発芽を防ぐ為に必要な最適な層の厚さとしている。またこの厚さであれば、空気層から種子Ｓに対して酸素が供給されるので、種子Ｓの発芽にも好適な影響を与えるのである。
【００１６】
次に、図４において、播種・施肥の直後の状態を説明する。
５条ずつの左右には、土壌表面から１２〜１５ｃｍの深さｂの排水溝Ｃが設けられている。この排水溝Ｃが設けられていることにより、強い雨が降った場合にも、耕耘砕土層Ｂや播種溝Ａの部分に水溜まりが発生することなく、種子Ｓが発芽する前に腐るということが無くなるのである。また、種子Ｓは播種溝Ａの内部に播種することとなるので、もし強い雨が降った場合にも、流れる雨水により種子Ｓが排水溝Ｃの方向に移動してしまうということも無いのである。
【００１７】
【発明の効果】
本発明は、以上の如く構成したので、次のような効果を奏するのである。
第一に、トラクタＴの後部にロータリ耕耘装置Ｒを昇降自在に装着し、該ロータリ耕耘装置Ｒの後部に施肥・播種装置を装着した乾田直播装置において、該ロータリ耕耘装置Ｒは、爪軸１に、なた爪３と直刀２と溝掘爪４を装着し、該なた爪３により、乾田土壌面を１〜３ｃｍの深さで全面を耕耘して耕耘砕土層Ｂを掘削し、該直刀２により、深さが土壌表面から５〜７ｃｍで幅が１〜２ｃｍの播種溝Ａを、播種する条の位置に掘削し、該溝掘爪４により、深さ１２〜１５ｃｍで幅５〜７ｃｍ程度の排水溝Ｃを、播種溝Ａの５〜６条毎に掘削すべく構成し、前記施肥・播種装置は、種子ホッパー１６と肥料ホッパー９を配置し、該種子ホッパー１６と肥料ホッパー９の下部に、播種施肥繰出機構１５を配置し、前記施肥・播種装置の先端で、ロータリ耕耘装置Ｒの直後の位置には播種溝掘削ディスク５を配置し、該播種溝掘削ディスク５の進行と共に溝を、直刀２により掘削した播種溝Ａの上に、更に掘削すべく構成し、該播種溝掘削ディスク５の２枚のディスクの間に、播種施肥繰出機構１５から連通した播種パイプ１２が連通して、種子Ｓを播種溝Ａの中に落下させ、該播種溝Ａの中の土壌表面から３〜５ｃｍの深さに播種すべく構成したので、乾田土壌面を全面を１〜３ｃｍの厚さｍに浅く耕耘した耕耘砕土層Ｂを構成しているので、この部分が雑草の種子を被覆し、雑草の発芽を抑えることができて、除草効果を発揮する乾田直播装置を構成することができたのである。
【００１８】
また、播種パイプ１２からの種子Ｓの落下位置には、狭く深い播種溝Ａを構成しているので、播種深さである３〜５ｃｍを確保することができ、該播種溝Ａの下部に溜まった雨水を発芽用の水分として供給することができるので、土壌が乾いた場合にも、発芽率を低下させることが少ないのである。播種溝Ａの５〜６条置きに、排水溝Ｃを設けたことにより、強い雨が降った場合のような、余分な水分を排水することかできるので、水分過多による発芽率の低下を抑えることができる乾田直播装置とすることができたのである。
【００１９】
第二に、請求項１記載の乾田直播装置において、前記播種溝掘削ディスク５と播種パイプ１２の後部で、横に偏心した位置に、施肥ディスク６を配置し、該施肥ディスク６の後部に施肥パイプ１１を連通し、肥料ホッパー９から繰り出された肥料粒を落下し、該播種溝掘削ディスク５と播種パイプ１２と、施肥ディスク６と施肥パイプ１１の後部に、覆土ディスク７を配置し、該覆土ディスク７の後部に、鎮圧ローラー８を配置したので、該播種溝Ａの内部に、播種を行ない、近傍に施肥を行なうことが可能となったのである。
また、多数条分の播種と施肥を一度に行なうことができるように乾田直播装置を構成とすることができたものである。
【図面の簡単な説明】
【図１】  本発明の乾田直播装置をトラクタＴの後部に装着した状態の前方斜視図。
【図２】  同じく乾田直播装置をトラクタＴに装着した状態の後方斜視図。
【図３】  ロータリ耕耘装置Ｒの爪軸１に直刀２となた爪３と溝掘爪４を装着した状態の後面図。
【図４】  本発明の乾田直播方法と装置による播種後の状態を示す断面図。
【図５】  従来の乾田直播方法と装置による播種後の状態を示す断面図。
【符号の説明】
Ａ  播種溝
Ｂ  耕耘砕土層
Ｃ  排水溝
１  爪軸
２  直刀
３  なた爪
４  溝掘爪
５  播種溝掘削ディスク
６  施肥ディスク
７  覆土ディスク
８  鎮圧ローラー
９  肥料ホッパー
１６  種子ホッパー
【図１】
0003831447.tif 000002
【図２】
0003831447.tif 000003
【図３】
0003831447.tif 000004
【図４】
0003831447.tif 000005
【図５】
0003831447.tif 000006